(57)【要約】【課題】輻射式暖房装置による均一かつ快適な温度分布を実現しつつ、その下流で伝熱媒体に残っている熱エネルギーを十分に放出する。【解決手段】暖房システム１００は、伝熱媒体を加熱する熱源１１０と、熱源の下流に配され、加熱された伝熱媒体の熱エネルギーを放射する床暖房１２０と、床暖房の下流に配され、熱エネルギーが放射された後の伝熱媒体によって空気を暖め、暖めた空気を外部に強制的に放出し、伝熱媒体を熱源に返還する温風ファン１３０と、を備えることを特徴とする。【選択図】図１
2014077605.tif 000002
【特許請求の範囲】
【請求項１】
伝熱媒体を加熱する熱源と、
前記熱源の下流に配され、前記加熱された伝熱媒体の熱エネルギーを放射する輻射式暖房装置と、
前記輻射式暖房装置の下流に配され、前記熱エネルギーが放射された後の伝熱媒体によって空気を暖め、暖めた空気を外部に強制的に放出し、該伝熱媒体を前記熱源に返還する強制対流式暖房装置と、
を備えることを特徴とする暖房システム。
【請求項２】
前記強制対流式暖房装置は、前記輻射式暖房装置が熱エネルギーを放射する空間と隔壁で仕切られた異なる空間に空気を放出することを特徴とする請求項１に記載の暖房システム。
【請求項３】
前記強制対流式暖房装置は、前記輻射式暖房装置が熱エネルギーを放射する空間と同一の空間に空気を放出することを特徴とする請求項１に記載の暖房システム。
【請求項４】
前記強制対流式暖房装置は、
吸気口と、
排気口と、
空気と前記伝熱媒体との熱交換を行う熱交換部と、
前記吸気口から空気を吸引し、前記熱交換部を通過させ、前記排気口を通じて送風する強制ファンと、
前記熱交換部に流入する伝熱媒体の温度を検知する媒体温度検知部と、
前記吸気口から流入する空気の温度を検知する室内温度検知部と、
検知された前記伝熱媒体の温度および前記空気の温度のいずれか一方または双方に応じ、前記強制ファンを通じて前記熱交換された空気の送風量を制御する送風量制御部と、
を備えることを特徴とする請求項１から３のいずれか１項に記載の暖房システム。
【請求項５】
前記強制対流式暖房装置は、暖めた空気を放出する空間を区画する壁に埋設され、前記吸気口に空気を導く流路および前記排気口から送風された空気の流路を形成する化粧板が、該壁の巾木と連続的に形成されることを特徴とする請求項４に記載の暖房システム。
【請求項６】
伝熱媒体を加熱し、
前記加熱した伝熱媒体の熱エネルギーを放射し、
前記熱エネルギーを放射した後の伝熱媒体によって空気を暖め、暖めた空気を外部に強制的に放出し、
前記伝熱媒体を前記熱源に返還することを特徴とする暖房方法。
【発明の詳細な説明】
【技術分野】
【０００１】
本発明は、伝熱媒体の熱エネルギーを放射する輻射式暖房装置を備えた暖房システムおよび暖房方法に関する。
【背景技術】
【０００２】
区画された空間を暖める暖房装置は、熱の伝熱態様に応じて様々な方式の暖房装置、例えば、強制対流式暖房装置、輻射式暖房装置等に分類される。強制対流式暖房装置は、エアコンのように、空気を暖め、暖めた空気を強制的に送風して空間を暖める暖房装置であり、輻射式暖房装置は、床暖房のように、輻射を利用して熱エネルギーを放射する暖房装置である。
【０００３】
例えば、強制対流式暖房装置や輻射式暖房装置では、１の熱源で加熱した伝熱媒体を取得し、上述したように各方式による伝熱機能を果たした後、温度が低下した伝熱媒体を熱源に返還している。通常、強制対流式暖房装置や輻射式暖房装置は、それぞれで、１の熱源との循環系統を構成し、暖房対象となる空間毎に１の循環系統（１の暖房装置）が配置される。
【０００４】
また、特許文献１には、強制対流式暖房装置としてのファンコンベクタの下流に、輻射式暖房装置としての床暖房マットをカスケード接続し、両装置において伝熱媒体との熱交換を連続的に行い、伝熱媒体の熱エネルギーを有効利用する技術が開示されている。
【先行技術文献】
【特許文献】
【０００５】
【特許文献１】特開平１１−８３０４４号公報
【発明の概要】
【発明が解決しようとする課題】
【０００６】
上述した特許文献１の技術では、強制対流式暖房装置を主たる暖房装置として上流に配置しており、輻射式暖房装置は、強制対流式暖房装置で熱エネルギーが消費された伝熱媒体を利用している。かかる強制対流式暖房装置は、熱エネルギーの単位時間あたりの放出量を大きくとれるため、暖房対象となる空間を迅速に暖めることができるものの、強い送風によるハウスダストの巻き上げ等が生じ、また、暖房対象となる空間での温度分布が不均一となる。したがって、空間の温度上昇に対して、人と直接接触する機会が多い床等の温度が低いままだったり、一部の領域を暖めすぎてしまう等の問題があった。
【０００７】
また、特許文献１の技術では、上流の強制対流式暖房装置における熱エネルギーの消費量およびその変動が大きいので、下流の輻射式暖房装置において、流入してきた温度変動の大きい伝熱媒体を温度制御することが困難になり、均一な温度分布を実現できないといった問題がある。また、たとえ、温度制御できたとしても、速応性に乏しい輻射式暖房装置では、伝熱媒体に残っている熱エネルギーを十分に放出しきれず、温度がまだ高い状態で伝熱媒体を熱源に返還することになり、熱源からの伝熱効率が低下してしまっていた。
【０００８】
また、折角、下流に輻射式暖房装置をカスケード接続しているにも拘わらず、速応性の乏しさから、輻射式暖房装置が暖房対象となる空間を暖めるまでに至らない場合もあった。
【０００９】
本発明は、このような課題に鑑み、輻射式暖房装置による均一かつ快適な温度分布を実現しつつ、その下流で伝熱媒体に残っている熱エネルギーを十分に放出することが可能な、暖房システムおよび暖房方法を提供することを目的としている。
【課題を解決するための手段】
【００１０】
上記課題を解決するために、本発明の暖房システムは、伝熱媒体を加熱する熱源と、熱源の下流に配され、加熱された伝熱媒体の熱エネルギーを放射する輻射式暖房装置と、輻射式暖房装置の下流に配され、熱エネルギーが放射された後の伝熱媒体によって空気を暖め、暖めた空気を外部に強制的に放出し、伝熱媒体を熱源に返還する強制対流式暖房装置と、を備えることを特徴とする。
【００１１】
強制対流式暖房装置は、輻射式暖房装置が熱エネルギーを放射する空間と隔壁で仕切られた異なる空間に空気を放出してもよい。
【００１２】
強制対流式暖房装置は、輻射式暖房装置が熱エネルギーを放射する空間と同一の空間に空気を放出してもよい。
【００１３】
強制対流式暖房装置は、吸気口と、排気口と、空気と伝熱媒体との熱交換を行う熱交換部と、吸気口から空気を吸引し、熱交換部を通過させ、排気口を通じて送風する強制ファンと、熱交換部に流入する伝熱媒体の温度を検知する媒体温度検知部と、吸気口から流入する空気の温度を検知する室内温度検知部と、検知された伝熱媒体の温度および空気の温度のいずれか一方または双方に応じ、強制ファンを通じて熱交換された空気の送風量を制御する送風量制御部と、を備えてもよい。
【００１４】
強制対流式暖房装置は、暖めた空気を放出する空間を区画する壁に埋設され、吸気口に空気を導く流路および排気口から送風された空気の流路を形成する化粧板が、壁の巾木と連続的に形成されてもよい。
【００１５】
上記課題を解決するために、本発明の暖房方法は、伝熱媒体を加熱し、加熱した伝熱媒体の熱エネルギーを放射し、熱エネルギーを放射した後の伝熱媒体によって空気を暖め、暖めた空気を外部に強制的に放出し、伝熱媒体を熱源に返還することを特徴とする。
【発明の効果】
【００１６】
本発明によれば、輻射式暖房装置による均一かつ快適な温度分布を実現しつつ、その下流で伝熱媒体に残っている熱エネルギーを十分に放出することができる。このように熱エネルギーを十分に放出することで、温度の低い伝熱媒体を熱源に返還することができ、暖房システム全体の熱入力に対する、輻射式暖房装置と強制対流式暖房装置により取り出すことができる熱量（システム効率）を向上することが可能となる。
【図面の簡単な説明】
【００１７】
【図１】暖房システムの概略的な構成を示した機能ブロック図である。
【図２】床暖房の概略的な構成を示した説明図である。
【図３】温風ファンの概略的な構成を示した説明図である。
【図４】温風ファンを部屋に設置する様子を示す斜視図である。
【図５】化粧板と巾木との位置関係を説明するための図４のＡＡ断面図である。
【図６】温風ファンの他の例を示した説明図である。
【図７】暖房方法の処理の流れを示したフローチャートである。
【発明を実施するための形態】
【００１８】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（暖房システム１００）
図１は、暖房システム１００の概略的な構成を示した機能ブロック図である。図１に示すように、暖房システム１００は、屋内の、例えば、区画された空間である部屋で利用され、熱源１１０と、輻射式暖房装置としての床暖房１２０と、強制対流式暖房装置としての温風ファン１３０とを含んで構成される。暖房システム１００では、熱源１１０、床暖房１２０、温風ファン１３０がその順にカスケード接続され、矢印で示すように、その装置間を伝熱媒体（加熱媒体）が循環する。本実施形態の暖房システム１００は、主として６０℃以下の伝熱媒体を循環させる低温系統に相当する。
【００２０】
熱源１１０は、例えば、ガスや電気等の加熱手段を通じて伝熱媒体を加熱し、不図示のポンプ等を通じて、加熱した伝熱媒体を床暖房１２０に送流する。床暖房１２０は、熱源１１０の下流に配され、熱源１１０によって加熱された伝熱媒体の熱エネルギーを、輻射にて放熱する。温風ファン１３０は、床暖房１２０の下流に配され、床暖房１２０によって熱エネルギーが放射された後の伝熱媒体で近傍の空気を暖め、暖めた空気を強制的に放出する。そして、熱エネルギーが放出された伝熱媒体は熱源１１０に返還される。なお、本実施形態の説明において、伝熱媒体の温度と、伝熱媒体の熱エネルギーの大きさとを説明の内容によって使い分けるが、同等の意味で扱う。したがって、伝熱媒体の温度が高いと熱エネルギーも大きく、伝熱媒体の温度が低いと熱エネルギーも小さいこととなる。以下、暖房システム１００の構成要素である床暖房１２０と、温風ファン１３０の概略的な構成を説明する。
【００２１】
（床暖房１２０）
図２は、床暖房１２０の概略的な構成を示した説明図である。床暖房１２０は、暖房対象となる空間（部屋）を囲繞する隔壁のうち鉛直下方の隔壁である床１２２に埋設される。また、床暖房１２０は、例えば、図２に示すように、樹脂の管１２４を蛇行させて形成され、図２中、黒の塗りつぶしで示した矢印で示すように、管１２４の中を伝熱媒体が流通することで、白抜き矢印で示したように管１２４から輻射熱が放出される。こうして、暖房対象の空間では、快適性の高い暖房が実現される。
【００２２】
ここでは、輻射式暖房装置として、床暖房１２０を挙げて説明しているが、輻射式暖房装置は、かかる床暖房１２０に限らず、例えば、管１２４を暖房対象となる空間に露出することで輻射に加え自然対流も生じさせるラジエータ等を用いることができる。
【００２３】
（温風ファン１３０）
図３は、温風ファン１３０の概略的な構成を示した説明図である。温風ファン１３０は、吸気口１５０と、排気口１５２と、熱交換部１５４と、強制ファン１５６と、媒体温度検知部１５８と、室内温度検知部１６０と、送風量制御部１６２とを含んで構成される。
【００２４】
吸気口１５０から吸入された空気は、複数のフィンを離間させて配列した熱交換部１５４において、床暖房１２０から流入した伝熱媒体と熱交換され、温度が高められる。このとき、強制ファン１５６は、例えばプロペラファンで構成され、吸気口１５０から空気を吸引し、熱交換部１５４を通過させて熱交換部１５４との熱交換に寄与し、暖まった空気を排気口１５２へ押し出して、排気口１５２から送風する。
【００２５】
ここでは、熱交換部１５４が伝熱媒体を通流する配管１６４の一部をなすことで、圧力損失を最小限に抑えることができるので、床暖房１２０と直列的に接続したとしても、暖房システム１００に与える圧力損失の影響を小さくできる。
【００２６】
媒体温度検知部１５８は、熱交換部１５４の上流側に設けられ、熱交換部１５４に流入する伝熱媒体の温度を検知する。室内温度検知部１６０は、吸気口１５０の下流側に設けられ、吸気口１５０から流入する空気の温度を検知する。そして、送風量制御部１６２は、媒体温度検知部１５８によって検知された伝熱媒体の温度および室内温度検知部１６０によって検知された空気の温度のいずれか一方または双方に応じ、強制ファン１５６を通じて暖めた空気の送風量を制御する。
【００２７】
例えば、送風量制御部１６２は、媒体温度検知部１５８によって、伝熱媒体の温度が所定の第１閾値（例えば、４０℃）以上となったことを検知すると、すなわち、床暖房１２０によって伝熱媒体が流動し始めたのを検知すると、強制ファン１５６の動作を開始させる。また、伝熱媒体の温度が所定の第２閾値（例えば、３０℃）未満となったことを検知すると、伝熱媒体の流動が止まったとして、強制ファン１５６の動作を停止する。さらに、強制ファン１５６が動作を開始してから、室内温度検知部１６０が検知した空気の温度が所定の閾値（例えば、２０℃）以上となった場合に、強制ファン１５６の動作を停止させてもよい。また、強制ファン１５６が動作を開始してから、所定の時間（例えば、１時間）経過したことをもって強制ファン１５６の動作を停止してもよい。さらに、強制ファン１５６の送風量（回転数）を伝熱媒体の温度に応じて制御することで、伝熱媒体の熱エネルギーを十分に放出することが可能となる。
【００２８】
このように、媒体温度検知部１５８と室内温度検知部１６０と送風量制御部１６２とによって、ユーザは、温風ファン１３０の動作を専用のリモートコントローラ等を通じて操作しなくとも、床暖房１２０の稼働に伴って送風量を自動的に制御することができる。したがって、専用のリモートコントローラを設けなくて済む分だけ、設備導入のための初期コスト（イニシャルコスト）を削減することができる。
【００２９】
以上説明したように、本実施形態では、床暖房１２０と温風ファン１３０とを、上流に床暖房１２０、下流に温風ファン１３０といったようにカスケード接続することで、伝熱媒体の熱エネルギーを十分に放出し、熱源１１０のシステム効率、すなわち、暖房システム１００全体の熱入力に対する、床暖房１２０および温風ファン１３０により取り出すことができる熱量の向上を図ることができる。以下に、カスケード接続の必要性を述べる。
【００３０】
燃焼排ガス中に含まれる水蒸気の潜熱を回収できる潜熱回収熱源機の場合、二次熱交換器に流入する水または温水の温度が低ければ低いほど、水蒸気を結露させる量が増え、その際に熱を奪うことができる。したがって、システム効率を向上するためには、床暖房１２０と温風ファン１３０とをカスケード接続し、伝熱媒体の熱エネルギーを十分に放出することで伝熱媒体の温度を下げることが必要となる。
【００３１】
特に、本実施形態では、上流に床暖房１２０を配し、下流に温風ファン１３０を配することで、床暖房１２０を主たる暖房としつつ、温風ファン１３０によって伝熱媒体に残った熱エネルギーを有効に放出している。
【００３２】
具体的には、床暖房１２０は、輻射によって暖房対象である空間を暖めるため、強制対流式暖房装置に比べ暖房対象における温度上昇に対する速応性こそ劣るものの、強い送風によるハウスダストの巻き上げがない。また、輻射によって暖房対象における温度分布が均一になるため空間内にいる人の体が温度分布に曝されることがない上、暖かい床面からの接触熱伝導による暖かさがある等、快適性に優れている。また、輻射式なので、強制対流式暖房装置に比べて騒音が生じることがない。さらに、強制対流式暖房装置のように、一部の領域を暖めすぎてしまうこともなく、暖房対象となる空間全体を快適な温度に保持することが可能である。
【００３３】
また、床暖房１２０は、定常時は熱エネルギーの消費およびその変動が少ないので、後段の温風ファン１３０において、利用できる熱エネルギーを想定し易く、温風ファン１３０による安定した制御を実現できる。さらに、温風ファン１３０は、ファンの出力により熱エネルギーの消費量を比較的容易に変更することができ、場合によっては大量の熱エネルギーを放出することができるので、床暖房１２０で消費しきれなかった熱エネルギーを十分に放出することが可能となる。
【００３４】
また、温風ファン１３０では、強制ファン１５６によって強制対流を生成しているので、床暖房１２０により伝熱媒体の温度が相対的に低くなった場合であっても、その伝熱媒体から熱エネルギーを放出することができ、さらにその温度を低くすることが可能となる。ここで、温風ファン１３０は、強制対流によって熱エネルギーを放出しているものの、当該温風ファン１３０は、あくまで床暖房１２０の補助的な役割なので、その容量も小さく、騒音が発生せず、暖房対象における温度分布への影響も少ない。
【００３５】
したがって、床暖房１２０による均一かつ快適な温度分布を実現しつつ、その下流の温風ファン１３０において伝熱媒体に残っている熱エネルギーを十分に放出することが可能となる。
【００３６】
（床暖房１２０と温風ファン１３０との位置関係）
上記のように、熱エネルギーの消費にフォーカスすると、床暖房１２０と温風ファン１３０とをカスケード接続し、それぞれで熱エネルギーを消費して、伝熱媒体の温度を低下させればよいので、床暖房１２０と温風ファン１３０との位置関係は問われない。しかし、暖房対象の空間を迅速に暖めるという観点では、温風ファン１３０と床暖房１２０とで、他との隔壁を等しくする同一の空間、すなわち、暖房対象となる空間を同時に暖房するのが好ましい。
【００３７】
床暖房１２０は、上述したように、強い送風によるハウスダストの巻き上げがなく、また、輻射によって暖房対象における温度分布が均一になるように熱エネルギーを放出するので、快適性に優れている。その反面、暖房対象における温度上昇に対する速応性が強制対流式暖房装置と比較して相対的に低い。そこで、温風ファン１３０を併設し、床暖房１２０の暖房開始時の温度上昇を緩やかに補助することとする。温風ファン１３０は、容量が小さいながらも、強制対流によって、直接、暖められた空気を暖房対象となる空間に放出するので、床暖房１２０の利便性や快適性を損なわずに床暖房１２０の迅速な立ち上げを促進することができる。また、かかる温風ファン１３０は、上述したように、あくまで床暖房１２０の補助的な役割なので、ハウスダストの巻き上げ、騒音、温度分布への影響等の問題も生じない。
【００３８】
（床暖房１２０と温風ファン１３０との他の位置関係）
また、温風ファン１３０を、床暖房１２０と少なくとも境界で仕切られた異なる空間に配置することもでき、温風ファン１３０によって、床暖房１２０と異なる空間を暖めることもできる。
【００３９】
通常、暖房システム１００は、１の熱源で加熱した伝熱媒体を１の暖房装置で消費するようになっている。したがって、暖房したい場所や部屋が複数ある場合、それぞれに個別の循環系統を配すべく、設置工事や、専用のコントローラを施工する必要があり、施工費が高くなるおそれがある。また、トイレ、洗面室や廊下など狭小な空間を暖房対象とする場合、冬場は寒くなり暖房が求められるものの、放熱能力が高い暖房は必要なく、そのためだけに、１の循環系統を設けるのは費用対効果に乏しいといった実情があった。
【００４０】
ここでは、例えば、床暖房１２０とカスケード接続されている温風ファン１３０を独立して、他の部屋に配置する。かかる温風ファン１３０は、床暖房１２０で消費しきれなかった熱エネルギーを利用しているので、効率的であり、新たに系統を増やす必要もないので、施工費も最小限で済む。また、温風ファン１３０における媒体温度検知部１５８や、室内温度検知部１６０、送風量制御部１６２が、床暖房１２０と独立して動作するので、他の部屋であっても、適切に温度制御することができる。
【００４１】
このように、別の部屋で床暖房１２０が利用されている間に、余った熱エネルギーを利用して、トイレ、洗面室や廊下等の非居室を予熱的に暖めているので、ユーザは、このような空間に移動したとしても温度差を感じることが少なく、快適に過ごすことができる。また、複数の非居室をそれぞれ補助的に暖めることで、屋内全体のベース温度を上げることが可能となる。
【００４２】
また、一般に、トイレ、洗面室や廊下等の非居室は、暖房装置を載置する空間がない場合が多いが、当該温風ファン１３０は、容量が小さくコンパクトであり、他の装置との接続も伝熱媒体の送受だけなので、比較的容易に設置することができる。
【００４３】
また、温風ファン１３０本体に蓄熱材を施し、床暖房１２０から流入した伝熱媒体の熱エネルギーを別途蓄熱材に蓄熱して、夜間等、床暖房１２０を停止した後も蓄熱分の熱エネルギーを温風ファン１３０から放出することで、夜間に亘りトイレ、洗面室や廊下等の非居室を暖めることができる。
【００４４】
（温風ファン１３０の取り付け位置）
ところで、床暖房１２０は、その主体たる管１２４が床面に埋設されているため、ユーザに対し、外観的に、床暖房１２０を装置として意識させず、また、暖房対象である空間における温度分布が均一になるように熱エネルギーを放出するので、暖房源としても意識されにくい。これに対し、一般的な強制対流式暖房装置、例えば、ファンヒータや床置露出型のファンコンベクタは、筐体が大きくなり、空気の吸気口や排気口も必要なので、部屋の壁側の領域を一部占有していた。また、壁掛型や天井吊り露出型のファンコンベクタは、部屋において、家具に干渉しない比較的天井に近い空間を占有する。このような位置に強制対流式暖房装置を取り付けることは、外観上好ましくなく、部屋が狭く感じられる等の問題もある。本実施形態では、強制対流式暖房装置に相当する温風ファン１３０を床暖房１２０の補助的な役割と位置づけ、比較的小型に構成し、暖房対象の空間を隔壁する壁に埋設して、温風ファン１３０本体の露出を回避する。
【００４５】
また、温風ファン１３０は、空気の吸気口１５０や排気口１５２が必要であるが、以下に示すように部屋を構成する部位（ここでは、巾木）と連続的あるいは一体的に形成することで、その外観を、ユーザに意識させないようにしている。
【００４６】
図４は、温風ファン１３０を部屋に設置する様子を示す斜視図である。ここでは、温風ファン１３０を、中空の間仕切壁に収まる大きさに形成し、温風ファン１３０の吸気口１５０および排気口１５２を室内に向けて、図４中白抜き矢印で示すように、全体を壁１７０に埋設する。そして、吸気口１５０や排気口１５２の前面（室内側の面）を化粧板１７２で覆う。化粧板１７２は、巾木１８０と連続的に形成される。
【００４７】
ここで、巾木１８０は、壁１７０と床１２２の継ぎ目において、壁１７０の最下部に取り付ける、壁１７０と床１２２との境目に沿って水平に延長される板であり、本来クロスの先端を挟持したり、掃除機等との接触を緩衝する目的で設けられている。巾木１８０は、壁１７０に固定された専有面積が相対的に大きい第１巾木板１８０ａと、鉛直下部を床１２２に接触させ、一部が第１巾木板１８０ａに覆われる第２巾木板１８０ｂとを含んで構成される。このように巾木１８０を２つの部材（第１巾木板１８０ａ、第２巾木板１８０ｂ）に分割し、その間に空隙を設けることで、壁１７０と床１２２といったような構造物の経年劣化、木材の膨張、気温変化などによる相対位置の変位を吸収している。
【００４８】
ここでは、温風ファン１３０を中空の間仕切壁に埋設しているので、床暖房１２０との配管の接続が容易となる。また本体の寸法を一般的な軸組み工法に適するように考慮し、幅方向の長さを、構造柱から間柱の間、間柱から間柱の間、および、間柱から構造柱の間のいずれにも適切に収まるように設計することで、汎用性を高めることができる。さらに、温風ファン１３０における伝熱媒体の圧力損失を小さく設計することで、１の循環系統に複数の温風ファン１３０をカスケード接続することができ、その場合、熱源１１０に返還する伝熱媒体の温度をさらに低下させることが可能となる。また、従来、例えば、壁掛型や天井吊り露出型のファンコンベクタといった強制対流式暖房装置は、比較的天井に近い位置に取り付けることを要し、暖められた空気が部屋の下部（人がいる空間）に行き亘るまで時間を要していたが、本実施形態の温風ファン１３０は、暖められた空気を床１２２の近傍に直接送風できるため、部屋の下部における暖房効果を高めることができる。
【００４９】
図５は、化粧板１７２と巾木１８０との位置関係を説明するための図４のＡＡ断面図である。上述したように、温風ファン１３０が埋設された壁１７０の、巾木１８０と連続する部位には、温風ファン１３０の前面を覆う化粧板１７２が配される。化粧板１７２は、巾木１８０の第１巾木板１８０ａと断面位置を等しくする第１化粧板１７２ａと、第２巾木板１８０ｂと比較して、壁１７０側に後退している第２化粧板１７２ｂとで構成される。
【００５０】
このように、第１化粧板１７２ａに対して、第２化粧板１７２ｂを後退させて配置することで、第１化粧板１７２ａと第２化粧板１７２ｂとの間に空隙１７４を設け、吸気口１５０に空気を導く流路および排気口１５２から送風された空気の流路を形成する。ここでは、第２化粧板１７２ｂを後退させて空隙１７４を形成したが、第１化粧板１７２ａを第２化粧板１７２ｂに対して空間側に変位させて空隙１７４を形成してもよい。また、第１巾木板１８０ａとともに第１化粧板１７２ａを鉛直上方に変位させることで空隙１７４を形成してもよい。
【００５１】
このような空隙１７４を設け、温風ファン１３０からの空気の流入および流出の経路面積を大きくすることで、圧力損失を低減することができるので、強制ファン１５６として小電力のファンを用いることが可能となる。また、空気の流速を低減することもできるので、空気の流入および流出に対する騒音も低減することが可能となる。
【００５２】
上記の構成により、外観上、温風ファン１３０の化粧板１７２を巾木１８０と一体的にとらえることができ、ユーザも、そこに温風ファン１３０があることを意識しなくて済む。また、第１化粧板１７２ａに対して、第２化粧板１７２ｂが後退しているが、ユーザが部屋内の鉛直上方から当該部位を観察しても、第２化粧板１７２ｂと第２巾木板１８０ｂとがいずれも、第１化粧板１７２ａや第１巾木板１８０ａより奥まっているので、第２化粧板１７２ｂと第２巾木板１８０ｂとの奥行き差が意識され難く、その空隙１７４に違和感を覚えることもない。また、部屋の空間を有効利用でき、部屋が狭く見えることも少ない。
【００５３】
（温風ファンの他の例）
上述した実施形態においては、強制ファン１５６としてプロペラファンを用いて説明したが、プロペラファンの代わりにシロッコファンによる強制ファン２５６を利用することもできる。
【００５４】
図６は、温風ファンの他の例を示した説明図である。図６を参照すると、温風ファン２３０は、吸気口１５０と、排気口１５２と、熱交換部１５４と、強制ファン２５６と、媒体温度検知部１５８と、室内温度検知部１６０と、送風量制御部１６２とを含んで構成される。このうち、構成要素として既に述べた温風ファン１３０の、吸気口１５０と、排気口１５２と、熱交換部１５４と、媒体温度検知部１５８と、室内温度検知部１６０と、送風量制御部１６２とは、実質的に機能が同一なので重複説明を省略し、ここでは、構成が相違する強制ファン２５６を主に説明する。
【００５５】
強制ファン２５６により吸気口１５０から吸入された空気は、図６に示すように、隔壁２６４を伝って、一旦、鉛直上方に回り込み、強制ファン２５６を通じて熱交換部１５４に到達する。そして、熱交換部１５４において、床暖房１２０から流入した伝熱媒体と熱交換され、温度が高められる。このようにシロッコファンで構成される強制ファン２５６を採用することで、プロペラファンより風量を大きくすることができ、熱交換部１５４における熱交換効率を向上することが可能となる。
【００５６】
また、シロッコファンで構成される強制ファン２５６の採用により、温風ファン２３０の外観形状が大きくなる場合、巾木１８０に相当する位置のみならず、その鉛直上方の壁１７０も切り欠いて施工したり、壁１７０を施工する前段階で温風ファン２３０を先に施工してもよい。また、温風ファン２３０を上下２分割できるように構成した場合、プロペラファンで構成される温風ファン１３０同様、巾木１８０のみを切り欠き、まず、温風ファン２３０の分割された上部のみ切り欠きから挿入し、それを壁１７０内において鉛直上方に押し上げた状態で温風ファン２３０の分割された下部を挿入し、一体化させるといったように温風ファン２３０を施工することもできる。
【００５７】
（暖房方法）
図７は、暖房方法の処理の流れを示したフローチャートである。まず、熱源としての熱源１１０は、伝熱媒体を加熱し（Ｓ２００）、輻射式暖房装置としての床暖房１２０は、加熱した伝熱媒体の熱エネルギーを放射し（Ｓ２０２）、強制対流式暖房装置としての温風ファン１３０は、熱エネルギーを放射し終えた伝熱媒体によって空気を暖め、暖めた空気を外部に強制的に放出し（Ｓ２０４）、伝熱媒体を熱源に返還する（Ｓ２０６）。
【００５８】
以上、説明したように、本実施形態の暖房システム１００および暖房方法によれば、上流かつ主たる床暖房１２０による均一かつ快適な温度分布を実現しつつ、その下流の温風ファン１３０で伝熱媒体に残っている熱エネルギーを十分に放出し、システム効率を向上することが可能となる。
【００５９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６０】
なお、本明細書の暖房方法における各工程は、必ずしもフローチャートして記載された順序に沿って時系列に処理する必要はない。
【産業上の利用可能性】
【００６１】
本発明は、伝熱媒体の熱エネルギーを放射する輻射式暖房装置を備えた暖房システムおよび暖房方法に利用することができる。
【符号の説明】
【００６２】
１００  …暖房システム
１１０  …熱源
１２０  …床暖房（輻射式暖房装置）
１３０、２３０  …温風ファン（強制対流式暖房装置）
１５０  …吸気口
１５２  …排気口
１５４  …熱交換部
１５６、２５６  …強制ファン
１５８  …媒体温度検知部
１６０  …室内温度検知部
１６２  …送風量制御部
１７２  …化粧板
１７４  …空隙
１８０  …巾木
【図１】
2014077605.tif 000003
【図２】
2014077605.tif 000004
【図３】
2014077605.tif 000005
【図４】
2014077605.tif 000006
【図５】
2014077605.tif 000007
【図６】
2014077605.tif 000008
【図７】
2014077605.tif 000009